(57)【特許請求の範囲】
【請求項１】
回動支持部で互いに開閉動可能に支持した一対の鋏片にはその回動支持部よりも先端側に主刃体を設け、それらの主刃体間に中間刃体を設けた鋏において、
前記回動支持部においては、両主刃体を中心軸部により開閉動方向に沿って回動可能に支持し、この両主刃体のうち一方の主刃体に設けた案内規制部と他方の主刃体に設けた案内規制部とをこの中心軸部に対し偏心位置に配置し、両鋏片の主刃体の開閉動時にこの中心軸部に対し相対動する案内規制部と一方の主刃体の案内規制部に対し相対動する案内規制部と他方の主刃体の案内規制部に対し相対動する案内規制部とを前記中間刃体に設けて、この中心軸部及び各案内規制部により、この中間刃体を両主刃体の開閉動時にそれらの主刃体間でなす開動角度の中間位置で停止させて保持可能にするとともに両主刃体に対し中間刃体の長手方向に沿う方向へ往復動可能にし、
前記主刃体の案内規制部と前記中間刃体の案内規制部とのうち、一方は偏心軸部であり、他方はその偏心軸部及び前記中心軸部が相対動可能に係入された案内孔である
ことを特徴とする鋏。
【発明の詳細な説明】
【技術分野】
【０００１】
本発明は、回動支持部で互いに開閉動可能に支持した一対の鋏片の主刃体間に中間刃体を設けた鋏に関するものである。
【背景技術】
【０００２】
従来、口部にシールチャックが付いた収容袋を開放する際、一対の鋏片のみを有する一般の鋏によりその口部を切断すると、図８（ｅ）に示すようにその収容袋１６の口部１７に形成された両切断縁１７ａ，１７ｂがシールチャック１８の外側付近で互いに揃うため、口部１７の両切断縁１７ａ，１７ｂを指で広げにくくなる問題があった。
【０００３】
下記特許文献１及び下記特許文献２では、主に甲殻類の殻を切断する目的で使用する鋏であるが、回動支持部で互いに開閉動可能に支持した一対の鋏片の主刃体間に中間刃体を設けた鋏が開示されている。その鋏により収容袋の口部を切断して開放する際に、シールチャックの外側付近で口部内に中間刃体を挿入した状態で両主刃体を互いに閉じると、一方の主刃体と中間刃体とにより口部に形成された切断縁と、他方の主刃体と中間刃体とにより口部に形成された切断縁とが、シールチャックの外側付近で互いにずれるため、口部の両切断縁を指で広げ易くなる。
【特許文献１】特開２００２−５８８８４号公報
【特許文献２】特開２０００−１８５１８２号公報
【発明の開示】
【発明が解決しようとする課題】
【０００４】
しかし、この種の鋏においては、使用時に両主刃体間で中間刃体が両主刃体に対し開閉動方向へ大きく振れるおそれがある。
そこで、上記特許文献１で開示された鋏では、一方の主刃体に設けられた調整部材に使用者が中間刃体を当接させて中間刃体の中心位置を設定し得るが、使用者が中間刃体を常に保持しない限り中間刃体が振れるおそれがある。
【０００５】
上記特許文献２で開示された鋏では、中間刃体と両主刃体との間に鎖やばね等の中心位置調整部材が連結されている。しかし、鎖では、両主刃体を最開状態にしない限り中間刃体を両主刃体間で停止させることができず、両主刃体が最開状態になるまでは中間刃体が振れるおそれがある。また、ばねでは、両主刃体の開動角度に関係なくばねの弾性力のバランスにより中間刃体を両主刃体間で停止させることができるが、使用者が中間刃体に触れたりすると、ばねの弾性力に抗して中間刃体が振れるおそれがある。さらには、鎖やばねが両主刃体に連結されていると、両主刃体の最開動角度が制限される。
【０００６】
従って、いずれの場合にも、使用時に両主刃体間で中間刃体が両主刃体に対し開閉動方向へ振れるおそれがあるという問題を解消することができない。そのため、例えば前述したように鋏により収容袋の口部を切断して開放する際に鋏の使い勝手が悪くなる。
【０００７】
この発明は、この種の鋏の使い勝手を良くすることを目的としている。
【課題を解決するための手段】
【０００８】
後記実施形態の図面（図１〜４に示す第１実施形態、図５〜７に示す第２実施形態）中、第１実施形態の符号を援用して本発明を説明する。
請求項１の発明にかかる鋏は、第１実施形態に対応し、下記の構成を有している。
【０００９】
この鋏において、回動支持部３で互いに開閉動可能に支持した一対の鋏片１，２にはその回動支持部３よりも先端側に主刃体４，５を設け、それらの主刃体４，５間に中間刃体８を設けている。前記回動支持部３においては、両主刃体４，５を例えば同一の回動中心９ａを有する中心軸部９により両主刃体４，５の開閉動方向Ｘに沿って回動可能に支持し、この両主刃体４，５のうち一方の主刃体４に設けた案内規制部１１と他方の主刃体５に設けた案内規制部１２とをこの中心軸部９に対し偏心位置に配置し、両鋏片１，２の主刃体４，５の開閉動時にこの中心軸部９に対し相対動する案内規制部１５と一方の主刃体４の案内規制部１１に対し相対動する案内規制部１３と他方の主刃体５の案内規制部１２に対し相対動する案内規制部１４とを前記中間刃体８に設けている。
【００１０】
さらに、この中心軸部９及び各案内規制部１１，１２，１３，１４，１５により、この中間刃体８を両主刃体４，５の開閉動時にそれらの主刃体４，５間でなす開動角度θの中間位置で停止させて保持可能にするとともに両主刃体４，５に対し中間刃体８の長手方向に沿う方向へ往復動可能にしている。この場合、両主刃体４，５間の中間位置とは、両鋏片１，２の主刃体４，５の開閉動時に一方の主刃体４が閉状態から開動して中間刃体８に対しなす開動角度αと他方の主刃体５が閉状態から開動して中間刃体８に対しなす開動角度βとがほぼ同一になることを意味するが、その開動角度αと開動角度βとを同一にすることが好ましい。
【００１３】
さらに、前記主刃体４，５の案内規制部と前記中間刃体８の案内規制部とのうち、一方は偏心軸部１１，１２であり、他方はその偏心軸部１１，１２及び前記中心軸部９が相対動可能に係入された案内孔１３，１４，１５である。例えば、前記両主刃体４，５の案内規制部は偏心軸部１１，１２であり、前記中間刃体８の案内規制部は案内孔１３，１４，１５である。この案内孔１３，１４，１５としては、貫通孔ばかりでなく溝等も含む。また、一方の主刃体４の偏心軸部１１が相対動可能に係入された案内孔１３と、他方の主刃体５の偏心軸部１２が相対動可能に係入された案内孔１４と、中心軸部９が相対動可能に係入された案内孔１５とを、互いに連続させれば、中間刃体８の各案内孔１３，１４，１５を簡単な構成により形成することができる。ちなみに、前記両主刃体４，５間の中間位置では、偏心軸部１１，１２及び中心軸部９と案内孔１３，１４，１５との間で若干の遊びによるがた付きがあってもよく、その場合には中間刃体８に若干の振れが生じる。
【発明の効果】
【００１５】
請求項１の発明は下記の効果を有する。
（イ）  中間刃体８が両主刃体４，５の開閉動時にそれらの主刃体４，５間で安定的に保持されるので、例えば口部１７にシールチャック１８が付いた収容袋１６を開放するためにその口部１７を切断する際に、シールチャック１８の外側付近で口部１７内に中間刃体８を挿入し易くして、鋏の使い勝手を良くすることができる。
【００１６】
（ロ）  中間刃体８が両主刃体４，５の開閉動時にそれらの主刃体４，５間でなす開動角度θの中間位置例えば両主刃体４，５に対し同一の開動角度α，βをなす位置で保持されるので、口部１７内に中間刃体８をより一層挿入し易くして、鋏の使い勝手を良くすることができる。
【００１７】
（ハ）  中間刃体８が両主刃体４，５の開閉動時に両主刃体４，５に対し中間刃体８の長手方向に沿う方向へ往復動し得るので、所謂引き切り機能により切れ味が向上して、鋏の使い勝手を良くすることができる。
【００１８】
（ニ） 両主刃体４，５の案内規制部と中間刃体８の案内規制部とのうち、一方は偏心軸部１１，１２であり、他方はその偏心軸部１１，１２及び中心軸部９が相対動可能に係入された案内孔１３，１４，１５であるので、両主刃体４，５の案内規制部や中間刃体８の案内規制部を簡単な構成により形成することができる。
【発明を実施するための最良の形態】
【００１９】
まず、第１実施形態にかかる鋏について図１〜４を参照して説明する。
図１に示すように、回動支持部３で互いに開閉動可能に支持された一対の鋏片１，２にはその回動支持部３よりも先端側に主刃体４，５が設けられているとともにその回動支持部３よりも基端側に柄６，７が設けられ、それらの主刃体４，５間に中間刃体８が設けられている。
【００２０】
図２，３，４にも示すように、この回動支持部３においては、一方の主刃体４と一方の柄６とからなる一方の鋏片１と、他方の主刃体５と他方の柄７とからなる他方の鋏片２とが、同一の回動中心９ａを有する中心軸部９により開閉動方向Ｘに沿って回動可能に支持され、前記中間刃体８に形成されたＴ状の貫通孔１０にこの中心軸部９が挿通されているとともに、一方の主刃体４で中心軸部９に対し偏心位置に配置された案内規制部としての偏心軸部１１と他方の主刃体５で中心軸部９に対し偏心位置に配置された案内規制部としての偏心軸部１２とがこの貫通孔１０に係入されている。このＴ状貫通孔１０においては、一方の主刃体４の偏心軸部１１が相対動可能に係入された案内規制部としての案内孔１３と、他方の主刃体５の偏心軸部１２が相対動可能に係入された案内規制部としての案内孔１４とが、それぞれ直線状に延設されてそれらの共通端部１３ａ，１４ａ側で互いに連続し、両主刃体４，５間の中心軸部９が相対動可能に係入された案内規制部としての案内孔１５がこれらの共通端部１３ａ，１４ａに対し共通端部１５ａで連続してこれらの共通端部１３ａ，１４ａ，１５ａから直角に直線状に延設されている。
【００２１】
図１（ａ）及び図２に示すように鋏の最閉状態では、両主刃体４，５間で中間刃体８が一方の主刃体４と他方の主刃体５とに重なり、両主刃体４，５間の中心軸部９が案内孔１５の共通端部１５ａに位置し、一方の主刃体４の偏心軸部１１が案内孔１３の共通端部１３ａに対し反対側になる外端部１３ｂに位置するとともに、他方の主刃体５の偏心軸部１２が案内孔１４の共通端部１４ａに対し反対側になる外端部１４ｂに位置する。
【００２２】
図１（ｂ）及び図３に示すように鋏を最閉状態から開動させる途中状態では、一方の主刃体４の偏心軸部１１が中心軸部９の回動中心９ａで回動して案内孔１３の外端部１３ｂから共通端部１３ａ側へ相対移動するとともに、他方の主刃体５の偏心軸部１２が中心軸部９の回動中心９ａで回動して案内孔１４の外端部１４ｂから共通端部１４ａ側へ相対移動し、両主刃体４，５間の中心軸部９がそれらの偏心軸部１１，１２の回動に伴い案内孔１５の共通端部１５ａからその共通端部１５ａに対し反対側になる外端部１５ｂ側へ相対移動する。その際、両主刃体４，５の刃縁４ａ，５ａに対し中間刃体８の両刃縁８ａが長手方向に沿う方向へ移動する。
【００２３】
図１（ｃ）及び図４に示すように鋏の最開状態では、両主刃体４，５間の中心軸部９が案内孔１５の共通端部１５ａから相対移動して外端部１５ｂに位置し、一方の主刃体４の偏心軸部１１が案内孔１３の外端部１３ｂから共通端部１３ａに接近してその付近に位置するとともに、他方の主刃体５の偏心軸部１２が案内孔１４の外端部１４ｂから共通端部１４ａに接近してその付近に位置する。
【００２４】
また、鋏を最開状態から閉動させる途中状態では、一方の主刃体４の偏心軸部１１が中心軸部９の回動中心９ａで回動して案内孔１３の共通端部１３ａ側から外端部１３ｂ側へ相対移動するとともに、他方の主刃体５の偏心軸部１２が中心軸部９の回動中心９ａで回動して案内孔１４の共通端部１４ａ側から外端部１４ｂ側へ相対移動し、両主刃体4,５間の中心軸部９がそれらの偏心軸部１１，１２の回動に伴い案内孔１５の外端部１５ｂから共通端部１５ａ側へ相対移動する。その際、両主刃体４，５の刃縁４ａ，５ａに対し中間刃体８の両刃縁８ａが長手方向に沿う方向へ移動する。
【００２５】
前述した鋏の開閉動途中状態や最開状態では、中間刃体８が両主刃体４，５の開閉動時にそれらの主刃体４，５間でなす開動角度θの中間位置で停止して保持され、一方の主刃体４が閉状態から開動して中間刃体８に対しなす開動角度αと他方の主刃体５が閉状態から開動して中間刃体８に対しなす開動角度βとが互いに同一になっている。
【００２６】
図７（ｂ）及び図８（ａ）（ｂ）に示すように、口部１７にシールチャック１８が付いた収容袋１６を開放する際、シールチャック１８の外側付近で口部１７内に中間刃体８を挿入した状態で両主刃体４，５を互いに閉じると、一方の主刃体４と中間刃体８とにより口部１７に形成された切断縁１７ａと、他方の主刃体５と中間刃体８とにより口部１７に形成された切断縁１７ｂとが、シールチャック１８の外側付近で互いにずれるため、口部１７の両切断縁１７ａ，１７ｂを指で広げ易くなる。
【００２７】
次に、第２実施形態にかかる鋏について第１実施形態との相違点を中心に図５〜７を参照して説明する。なお、第２実施形態における図６及び図７はそれぞれ第１実施形態における図２及び図４に対応する。
【００２８】
図５（ａ）に示すように、一方の主刃体４には中心軸部１９とその中心軸部１９に対し偏心位置に配置された案内規制部としての偏心軸部２０とが設けられている。図５（ｃ）に示すように、他方の主刃体５には中心軸部２１とその中心軸部２１に対し偏心位置に配置された案内規制部としての偏心軸部２２とが設けられている。図５（ｂ）に示すように、中間刃体８には、一方の主刃体４の中心軸部１９が支持される中心孔２３と、他方の主刃体５の中心軸部２１が支持される中心孔２４とが形成されているとともに、一方の主刃体４の偏心軸部２０が係入される案内規制部としての案内孔２５と、他方の主刃体５の偏心軸部２２が係入される案内規制部としての案内孔２６とが、共通端部２５ａ，２６ａで互いに連続して形成されている。図６に示すように鋏の最閉状態では、両主刃体４，５間で中間刃体８が一方の主刃体４と他方の主刃体５とに重なり、一方の主刃体４の偏心軸部２０が案内孔２５の共通端部２５ａ側に位置するとともに、他方の主刃体５の偏心軸部２２が案内孔２６の共通端部２６ａ側に位置する。図７に示すように鋏の最開状態では、一方の主刃体４の偏心軸部２０が案内孔２５の共通端部２５ａ側から相対移動してその共通端部２５ａに対し反対側になる外端部２５ｂに位置するとともに、他方の主刃体５の偏心軸部２２が案内孔２６の共通端部２６ａ側から相対移動してその共通端部２６ａに対し反対側になる外端部２６ｂに位置する。なお、図示しないが、一方の主刃体４の中心軸部１９は他方の主刃体５に対し相対移動可能に支持され、他方の主刃体５の中心軸部２１は一方の主刃体４に対し相対移動可能に支持されている。この第２実施形態においても第１実施形態と同様に中間刃体８を両主刃体４，５の開閉動時にそれらの主刃体４，５間の中間位置で停止させて保持することができる。
【００２９】
本実施形態は下記の効果を有する。
＊  第１実施形態の回動支持部３においては中心軸部９や偏心軸部１１，１２や案内孔１３，１４，１５により中間刃体８の動きが規制され、第２実施形態の回動支持部３においては中心軸部１９，２１や偏心軸部２０，２２や案内孔２５，２６により中間刃体８の動きが規制されるので、中間刃体８が両主刃体４，５の開閉動時にそれらの主刃体４，５間で振れずに安定的に保持される。従って、例えばシールチャック１８が付いた収容袋１６の口部１７を切断する際に、シールチャック１８の外側付近で口部１７内に中間刃体８を挿入し易くして、鋏の使い勝手を良くすることができる。
【００３０】
＊  第１実施形態及び第２実施形態の回動支持部３においては前述したように中間刃体８の動きが規制されるので、中間刃体８が両主刃体４，５の開閉動時にそれらの主刃体４，５間でなす開動角度θの中間位置で保持される。従って、口部１７内に中間刃体８をより一層挿入し易くして、鋏の使い勝手を良くすることができる。
【００３１】
＊  第１実施形態の回動支持部３においては前述したように中間刃体８の動きが規制されるので、中間刃体８が両主刃体４，５の開閉動時に両主刃体４，５に対し中間刃体８の長手方向に沿う方向へ往復動し得る。従って、所謂引き切り機能により切れ味が向上して、鋏の使い勝手を良くすることができる。
【００３２】
前記実施形態以外にも例えば下記のように構成してもよい。
・  前記第１実施形態の回動支持部３においては中間刃体８で互いに連続して形成された三個の案内孔１３，１４，１５の集合体の外形状をＴ状にしたが、その外形状を１２０度間隔の放射状などに適宜変更することができる。
【００３３】
・  前記第１実施形態の回動支持部３においては中間刃体８で互いに連続して形成された三個の案内孔１３，１４，１５の集合体としたが、三個の案内孔に互いに分離したり、一個の案内孔と二個の案内孔の集合体とに互いに分離したりしてもよい。
【００３４】
・  前記第１実施形態の回動支持部３においては両主刃体４，５の案内規制部として偏心軸部１１，１２を設けるとともに中間刃体８の案内規制部として案内孔１３，１４，１５を設けたが、逆に、両主刃体４，５の案内規制部として案内孔を設けるとともに中間刃体８の案内規制部として偏心軸部を設けてもよい。
【００３５】
・  前記第２実施形態の回動支持部３において、一方の主刃体４の偏心軸部２０と、その偏心軸部２０が係入される中間刃体８の案内孔２５と、他方の主刃体５の偏心軸部２２と、その偏心軸部２２が係入される中間刃体８の案内孔２６とをそれぞれ省略して、一方の主刃体４の中心軸部１９と他方の主刃体５の中心軸部２１とのみにより、中間刃体８を両主刃体４，５の開閉動時にそれらの主刃体４，５間の中間位置で停止させて保持可能にすることができる。
【００３６】
・  前記第２実施形態の回動支持部３において、一対の中心軸部１９，２１のほかに、中間刃体８には一方の主刃体４の案内孔に係入される偏心軸部と他方の主刃体５の案内孔に係入される偏心軸部とを同一中心線上で一本の軸として設けてもよい。
【図面の簡単な説明】
【００３７】
【図１】（ａ）は第１実施形態にかかる鋏の最閉状態を示す正面図であり、（ｂ）は同じく鋏の開閉途中状態を示す正面図であり、（ｃ）は同じく鋏の最開状態を示す正面図である。
【図２】（ａ）は図１（ａ）の回動支持部を示す部分拡大正面図であり、（ｂ）は図１（ａ）の回動支持部を示す部分拡大背面図であり、（ｃ）はその回動支持部を正面側から見た部分拡大断面図である。
【図３】（ａ）は図１（ｂ）の回動支持部を示す部分拡大正面図であり、（ｂ）は図１（ｂ）の回動支持部を示す部分拡大背面図であり、（ｃ）はその回動支持部を正面側から見た部分拡大断面図である。
【図４】（ａ）は図１（ｃ）の回動支持部を示す部分拡大正面図であり、（ｂ）は図１（ｃ）の回動支持部を示す部分拡大背面図であり、（ｃ）はその回動支持部を正面側から見た部分拡大断面図である。
【図５】（ａ）は第２実施形態にかかる鋏において一方の主刃体の回動支持部を示す部分拡大正面図であり、（ｂ）は同じく中間刃体の回動支持部を示す部分拡大正面図であり、（ｃ）は同じく他方の主刃体の回動支持部を示す部分拡大正面図である。
【図６】（ａ）は第２実施形態にかかる鋏の最閉状態において回動支持部を示す部分拡大正面図であり、（ｂ）は同じく回動支持部を示す部分拡大背面図であり、（ｃ）はその回動支持部を正面側から見た部分拡大断面図である。
【図７】（ａ）は第２実施形態にかかる鋏の最開状態において回動支持部を示す部分拡大正面図であり、（ｂ）は同じく回動支持部を示す部分拡大背面図であり、（ｃ）はその回動支持部を正面側から見た部分拡大断面図である。
【図８】（ａ）は収容袋の口部を切断して開放する際に図１（ｂ）の二点鎖線で示す口部内に中間刃体を挿入した状態を示す側面図であり、（ｂ）は（ａ）のＡ−Ａ線断面図であり、（ｃ）は（ｂ）の状態から収容袋の口部を切断した断面図であり、（ｄ）は本実施形態の鋏により切断した口部を示す断面図であり、（ｅ）は従来の鋏により切断した口部を示す断面図である。
【符号の説明】
【００３８】
１，２…鋏片、３…回動支持部、４，５…主刃体、８…中間刃体、９，１９，２１…中心軸部、１１，１２，２０，２２…案内規制部としての偏心軸部、１３，１４，１５，２５，２６…案内規制部としての案内孔、Ｘ…両主刃体の開閉動方向、θ…開動角度。
【図１】
0005363759.tif 000002
【図２】
0005363759.tif 000003
【図３】
0005363759.tif 000004
【図４】
0005363759.tif 000005
【図５】
0005363759.tif 000006
【図６】
0005363759.tif 000007
【図７】
0005363759.tif 000008
【図８】
0005363759.tif 000009